(57)【要約】【課題】車両の走行中にチェンジレバーをパーキング位置に作動された場合にも、変速機をいずれかの変速段にギヤインするようにした車両のパーキング装置を提供する。【解決手段】エンジンの停止時にクラッチが遮断され変速機の入力軸の回転をエンジンの摩擦力で阻止できない車両のパーキング装置であって、入力軸に設けられたパーキングギヤと、パーキングギヤに選択的に係合するパーキングロック機構と、変速機の変速段を指示するとともにパーキングロック機構と機械的に連結されチェンジレバーと、変速機を各変速段に作動する変速アクチュエータと、チェンジレバーのニュートラル位置検出手段と、チェンジレバーのニュートラル位置からパーキング位置への作動経路に配設されたパーキング作動検出手段と、車速センサーと、制御手段を具備し、制御手段はパーキング作動検出手段がチェンジレバーの作動を検出したときには、変速機を車両の走行速度に見合った変速段にギヤインすべく変速アクチュエータに制御信号を出力する。【選択図】        図１
2004353740.tif 000002
【特許請求の範囲】
【請求項１】
エンジンの停止時にクラッチが遮断され変速機の入力軸の回転をエンジンの摩擦力で阻止できない車両であって、
該入力軸に設けられたパーキングギヤと、該パーキングギヤに選択的に係合するパーキングロック機構と、該変速機の変速段を指示するとともに該パーキングロック機構と機械的に連結されチェンジレバーと、該変速機を各変速段に作動する変速アクチュエータと、を具備する車両のパーキング装置において、
該チェンジレバーのニュートラル位置に配設されたニュートラル位置検出手段と、該チェンジレバーの該ニュートラル位置からパーキング位置への作動経路に配設されたパーキング作動検出手段と、車両の走行速度を検出する車速センサーと、該ニュートラル位置検出手段と該パーキング作動検出手段および該車速センサーからの検出信号に基づいて変速アクチュエータおよび該クラッチを制御せしめる制御手段とを具備し、
該制御手段は、該パーキング作動検出手段が該チェンジレバーの作動を検出したときには、該変速機を該車速センサーからの検出信号に基づいて車両の走行速度に見合った変速段にギヤインすべく該変速アクチュエータに制御信号を出力する、
ことを特徴とする車両のパーキング装置。
【請求項２】
該パーキングロック機構の該パーキングギヤとの係合を規制する規制手段を具備し、該制御手段は該パーキング作動検出手段からの検出信号に基づいて該チェンジレバーの作動が確認された場合には該規制手段を一時作動せしめる、請求項１記載の車両のパーキング装置。
【発明の詳細な説明】
【０００１】
【発明の属する技術分野】
本発明は、エンジンの停止時にクラッチが遮断され変速機の入力軸の回転をエンジンの摩擦力で阻止できない車両のパーキング装置に関する。
【０００２】
【従来の技術】
流体変速機からなる自動変速機を搭載した車両においては、エンジンによって駆動される油圧ポンプにより油圧を発生させ、その油圧で多板クラッチを係合させて変速段を固定する構造であるため、エンジンが停止すると油圧を発生することができず、従ってエンジン停止時には自動的にニュートラル状態になってしまう。このため、流体変速機からなる自動変速機を搭載した車両においては、エンジンの摩擦力を利用して車輪の回転を規制することができない。このため流体変速機からなる自動変速機を搭載した車両においては、変速機の出力軸にパーキングギヤを設け、このパーキングギヤに選択的に係合するパーキングロック機構を備え、駐車時にパーキングロック機構をパーキングギヤに係合するようにしている。しかるに、変速機の出力軸にパーキングギヤを設けこのパーキングギヤをロックするものにおいては、パーキングロック機構に変速機の最大出力トルクが作用するため、強度的に非常に不利な条件となる。従って、中型、大型のトラック用の自動変速機を搭載した車両では、パーキングロック機構が強度的に成立しないため、パーキングロック機構を装備することが困難である。
【０００３】
一方、変速機として平行軸歯車式変速機を用いクラッチとして油圧式多板クラッチや電磁パウダークラッチを用いた車両においても、エンジンの停止時にはクラッチが遮断されるためエンジンの摩擦力を利用して車輪の回転を規制することができない。従って、この種の車両においても、変速機の出力軸にパーキングギヤを設け、このパーキングギヤを駐車時にロックすることが考えられるが、中型、大型のトラック等においては上述したようにパーキングロック機構が強度的に成立しない。このような問題を解決するものとして、変速機の入力軸にパーキングギヤを設け、このパーキングギヤを駐車時にロックするようにした車両のパーキング装置が提案されている。（例えば、特許文献１参照。）
【０００４】
【特許文献１】
特開２０００−２６４１７８号公報
【０００５】
【発明が解決しようとする課題】
而して、上記公報に記載されたように変速機の入力軸にパーキングギヤを設け、このパーキングギヤを駐車時にロックするようにした車両のパーキング装置においては、パーキングギヤをロックする前に変速機を所定の変速段にギヤインさせる必要がある。しかるに、車両が走行中にチェンジレバーをパーキング位置に作動する際にはニュートラル位置を通って作動されるため、クラッチが断され変速機がニュートラル状態となっている。このため、変速機の入力軸には駆動力が作用していないので、パーキングロック機構がチェンジレバーと機械的に連結されたものにおいては、チェンジレバーをパーキング位置に作動するとパーキングロック機構が作動してしまう。この結果、入力軸がロックされるため、その後変速機を所定の変速段にギヤインさせることが不可能となり、駐車時にチェンジレバーをパーキング位置に作動したにも拘らず変速機がニュートラル状態であるためにパーキングロック機能が働かないという問題が生ずる。
【０００６】
本発明は以上の点に鑑みなされたものであり、その主たる技術的課題は、車両の走行中にチェンジレバーをパーキング位置に作動された場合にも、変速機をいずれかの変速段にギヤインするようにした車両のパーキング装置を提供することにある。
【０００７】
【課題を解決するための手段】
上記技術的課題を解決するために、本発明によれば、エンジンの停止時にクラッチが遮断され変速機の入力軸の回転をエンジンの摩擦力で阻止できない車両であって、
該入力軸に設けられたパーキングギヤと、該パーキングギヤに選択的に係合するパーキングロック機構と、該変速機の変速段を指示するとともに該パーキングロック機構と機械的に連結されチェンジレバーと、該変速機を各変速段に作動する変速アクチュエータと、を具備する車両のパーキング装置において、
該チェンジレバーのニュートラル位置に配設されたニュートラル位置検出手段と、該チェンジレバーの該ニュートラル位置からパーキング位置への作動経路に配設されたパーキング作動検出手段と、車両の走行速度を検出する車速センサーと、該ニュートラル位置検出手段と該パーキング作動検出手段および該車速センサーからの検出信号に基づいて変速アクチュエータおよび該クラッチを制御せしめる制御手段とを具備し、
該制御手段は、該パーキング作動検出手段が該チェンジレバーの作動を検出したときには、該変速機を該車速センサーからの検出信号に基づいて車両の走行速度に見合った変速段にギヤインすべく該変速アクチュエータに制御信号を出力する、
ことを特徴とする車両のパーキング装置が提供される。
【０００８】
上記パーキングロック機構のパーキングギヤとの係合を規制する規制手段を具備し、上記制御手段は上記パーキング作動検出手段からの検出信号に基づいて上記チェンジレバーの作動が確認された場合には規制手段を一時作動せしめる。
【０００９】
【発明の実施の形態】
以下、本発明に従って構成された車両のパーキング装置の好適実施形態を図示している添付図面を参照して、更に詳細に説明する。
図１には本発明に従って構成された車両のパーキング装置の概略構成図が示されている。内燃機関等のエンジン（図示せず）によって駆動される駆動軸２と、変速機３の入力軸３１は、同一軸上に配設されている。駆動軸２と入力軸３１間には油圧式多板クラッチ４が配設されている。この油圧式多板クラッチ４は、駆動軸２に装着されたクラッチアウター４１と入力軸３１に装着されたクラッチインナー４２とからなる従来周知の構成でよい。油圧式多板クラッチ４はエンジンによって駆動される油圧ポンプ（図示せず）と通路４５によって接続されており、この通路４５には電磁切替え弁４６（Ｖ１）が配設されている。変速機３は周知の平行軸歯車式変速機であり、変速アクチュエータ５によって各変速段にギヤインされるようになっている。変速アクチュエータ５は従来周知のものでよく、例えば電動モータによって構成されたセレクトアクチュエータ５１とシフトアクチュエータ５２とからなり、後述する制御手段からの変速指示信号によって作動せしめられる。
【００１０】
上記変速機３の入力軸３１には、パーキングギヤ６が装着されている。このパーキングギヤ６は、パーキングロック機構７と選択的に係合するようになっている。パーキングロック機構７は、上記パーキングギヤ６の外周に対向して配設され変速機３のケース３２に図において上下方向に摺動可能に支持された係止部材７１を具備している。この係止部材７１は、図において下端にパーキングギヤ６と係合する歯７１１を備え、その上端部には被作動傾斜面７１２を備えており、該被作動傾斜面７１２がケース３２の上側に配設されたハウジング７２内に挿入されている。このように形成された係止部材７１は、ケース３２との間に配設されたコイルスプリング７３によって図において上方に向けて付勢されている。ハウジング７２内には、上記係止部材７１を作動する作動部材７４が図において左右方向に摺動可能に配設されている、この作動部材７４は、係止部材７１の被作動傾斜面７１２と係合する作動傾斜面７４１を備えているとともに、図において左右方向に貫通する貫通孔７４２を備えている。このように形成された作動部材７４の貫通孔７４２には、作動ロッド７５が摺動可能に挿入さてている。作動ロッド７５の図において右端にはストッパー７５１が装着されており、また、作動ロッド７５の作動部材７４より図において左側にがスプリング受け７５２が設けられている。このスプリング受け７５２と作動部材７４間にコイルスプリング７６が配設されている。上記作動ロッド７５の図において左端には、チェンジレバー７７によって作動せしめられるプッシュプルケーブル７８が連結されている。従って、チェンジレバー７７を図において矢印で示す方向に作動すると、プッシュプルケーブル７８を介して作動ロッド７５が図において右方に作動せしめられ、この結果コイルスプリング７６を介して作動部材７４が図において右方に作動せしめられる。作動部材７４が図において右方に作動すると、作動部材７４の作動傾斜面７４１と係止部材７１の被作動傾斜面７１２と係合作用により、係止部材７１はコイルスプリング７３のスプリング力に抗して図において下方に移動せしめられ、その下端に形成された歯７１１がパーキングギヤ６と係合する。
【００１１】
図示の実施形態においては、上記チェンジレバー７７が図示の作動パターンに従ってニュートラル位置（Ｎ）、ドライブ位置（Ｄ）、リバース位置（Ｒ）、パーキング位置（Ｐ）に作動するようになっている。このチェンジレバー７７の各作動位置には、それぞれ検出手段が配設されている。即ち、ニュートラル位置（Ｎ）にはニュートラル位置検出手段８１（ＳＷ１）が、ドライブ位置（Ｄ）にはドライブ位置検出手段８２（ＳＷ２）が、リバース位置（Ｒ）にはリバース位置検出手段８３（ＳＷ３）が、パーキング位置（Ｐ）にはパーキング位置検出手段８４（ＳＷ４）がそれぞれ配設されている。そして図示の実施形態においては、ニュートラル位置（Ｎ）からパーキング位置（Ｐ）への作動経路、即ちニュートラル位置（Ｎ）とパーキング位置（Ｐ）との間にパーキング作動検出手段８５（ＳＷ５）が配設されている。これら各検出手段は、その検出信号を後述する制御手段に送る。
【００１２】
また、図示の実施形態においては、上記チェンジレバー７７がパーキング位置（Ｐ）に作動された状態においても上記パーキングロック機構７を構成する作動部材７４の移動を一時規制するパーキングロック規制手段としての電磁ソレノイド９（ＳＯＬ）を具備している。筒状のケーシング９１と、ケーシング９１の上記ハウジング７２側の端部に装着された磁性材からなる固定ヨーク９２と、該固定ヨーク９２に対して接離可能に可動ヨーク９３と、該可動ヨーク９３に一端部が装着された非磁性材からなるプッシュロッド９４と、固定ヨーク９２および可動ヨーク９３を包囲して配設された電磁コイル９５と、ケーシング９１の他端に装着され可動ヨーク９３を覆うカバー部材９６とからなっている。このように構成された電磁ソレノイド９（ＳＯＬ）は、プッシュロッド９４の先端がハウジング７２を挿通し作動部材７４の図において右端面と対向して配設される。このように構成された電磁ソレノイド９（ＳＯＬ）は、電磁コイル９５が付勢されると可動ヨーク９３が固定ヨーク９２に吸引され、この可動ヨーク９３に装着されたプッシュロッド９４が図において左方に移動して、作動部材７４の図のおいて右方への移動を規制する。
【００１３】
図示の実施形態におけるパーキング装置は、制御手段１０を具備している。制御手段１０はマイクロコンピュータによって構成されており、制御プログラムに従って演算処理する中央処理装置（ＣＰＵ）と、制御プログラム等を格納するリードオンリメモリ（ＲＯＭ）と、演算結果等を格納する読み書き可能なランダムアクセスメモリ（ＲＡＭ）と、タイマー等を備えている。この制御手段１０は、上記ニュートラル位置検出手段８１（ＳＷ１）、ドライブ位置検出手段８２（ＳＷ２）、リバース位置検出手段８３（ＳＷ３）、パーキング位置検出手段８４（ＳＷ４）、パーキング作動検出手段８５（ＳＷ５）および車両の走行速度を検出する車速センサー１１、図示しないアクセルペダルの踏み込み量を検出するアクセルセンサー１２等からの検出信号を入力し、変速アクチュエータ５（ＡＣＴ）を構成するセレクトアクチュエータ５１およびシフトアクチュエータ５２、電磁切替え弁５６（Ｖ１）、電磁ソレノイド９（ＳＯＬ）等に制御信号を出力する。
【００１４】
図示の実施形態におけるパーキング装置は以上のように構成されており、以下その作動について説明する。
チェンジレバー７７がニュートラル位置（Ｎ）に作動された場合には、制御手段１０はニュートラル位置検出手段８１（ＳＷ１）からの検出信号に基づいて変速アクチュエータ５（ＡＣＴ）を構成するセレクトアクチュエータ５１およびシフトアクチュエータ５２に変速機３をニュートラル状態にすべく制御信号を出力する。また、チェンジレバー７７がドライブ位置（Ｄ）に位置付けられた場合には、制御手段１０はドライブ位置検出手段８２（ＳＷ２）からの検出信号に基づいて自動変速制御を実行する。即ち、制御手段１０は、車速センサー１１およびアクセルセンサー１２からの検出信号に基づいて目標変速段を決定し、この決定した目標変速段にギヤインすべくセレクトアクチュエータ５１およびシフトアクチュエータ５２に制御信号を出力する。次に、チェンジレバー７７がリバース位置（Ｒ）に位置付けられた場合には、制御手段１０はリバース位置検出手段８３（ＳＷ３）からの検出信号に基づいてセレクトアクチュエータ５１およびシフトアクチュエータ５２に変速機３を後進段にギヤインすべく制御信号を出力する。
【００１５】
次に、車両の走行中にチェンジレバー７７がパーキング位置（Ｐ）に向けて作動された場合について、図２に示すフローチャートをも参照して説明する。
チェンジレバー７７がパーキング位置（Ｐ）に向けて作動されると、その途中の経路にパーキング作動検出手段８５（ＳＷ５）が配設されているので、制御装置１０はステップＳ１においてパーキング作動検出手段８５（ＳＷ５）がＯＮしたか否かをチェックする。ステップＳ１においてパーキング作動検出手段８５（ＳＷ５）がＯＮしていなければ、制御手段１０はチェンジレバー７７がパーキング位置（Ｐ）に向けて作動されていないと判断し、このルーチンを終了する。ステップＳ１においてパーキング作動検出手段８５（ＳＷ５）がＯＮしていれば、制御手段１０はチェンジレバー７７がパーキング位置（Ｐ）に向けて作動されていると判断し、ステップＳ２に進んで変速機３がニュートラル状態か否かをチェックする。なお、図示の実施形態におけるチェンジレバー７７の作動パターンの場合は、走行中にチェンジレバー７７をパーキング位置（Ｐ）に作動する場合にはニュートラル位置（Ｎ）を通るので、ニュートラル位置検出手段８１（ＳＷ１）からの検出信号に基づいて制御手段１０は変速アクチュエータ５（ＡＣＴ）を構成するセレクトアクチュエータ５１およびシフトアクチュエータ５２に制御信号を出力して変速機３をニュートラル状態にしているはずであるが、ステップＳ２においては確認のためにチェックする。なお、変速機３のニュートラル状態の検出は、シフトアクチュエータ５２に設けられた図示しないニュートラル位置検出手段からの信号に基づいて判定する。
【００１６】
上記ステップＳ２において変速機３がニュートラル状態でない場合は、変速機３がいずれかの変速段にギヤインしているので、このルーチンを終了する。ステップＳ２において変速機３がニュートラル状態の場合には、制御手段１０はステップＳ３に進んで上記電磁ソレノイド９（ＳＯＬ）の電磁コイル９５を付勢（ＯＮ）すべく制御信号を出力して電磁ソレノイド９（ＳＯＬ）を作動する。この結果、上述したように作動部材７４の図において右方への移動が規制される。
【００１７】
次に、制御手段１０はステップＳ４に進んで電磁切替え弁４６（Ｖ１）を除勢（ＯＦＦ）して油圧式多板クラッチ４の動力伝達を遮断する。そして、制御手段１０はステップＳ５に進んで、変速機３を車両の走行速度に見合った変速段にギヤインすべく変速アクチュエータ５（ＡＣＴ）を構成するセレクトアクチュエータ５１およびシフトアクチュエータ５２に制御信号を出力する。この結果、変速機３は車両の走行速度に見合った変速段にギヤインされる。この作動中にチェンジレバー７７はパーキング位置（Ｐ）に達する。従って、プッシュプルケーブル７８を介して作動ロッド７５がコイルスプリング７６を圧縮して図において右方に作動せしめられ、コイルスプリング７６が圧縮される。
【００１８】
上記ステップＳ５において、変速機３を車両の走行速度に見合った変速段にギヤインしたならば、制御手段１０はステップＳ６に進んで上記電磁ソレノイド９（ＳＯＬ）を除勢（ＯＦＦ）する。この結果、作動部材７４の規制が解除されるため、作動部材７４は圧縮されているコイルスプリング７６の力によって図において右方に作動せしめられ、作動部材７４の作動傾斜面７４１と係止部材７１の被作動傾斜面７１２との係合作用により、係止部材７１がコイルスプリング７３のスプリング力に抗して図において下方に移動せしめられて係止部材７１の下端に形成された歯７１１がパーキングギヤ６と係合する。このように、電磁ソレノイド９を作動して作動部材７４の移動を一時規制することにより、チェンジレバー７７が速い速度でパーキング位置（Ｐ）に操作された場合でも、パーキングギヤ６即ち変速機３の入力軸３１をロックする前に変速機３を車両の走行速度に見合った変速段に確実にギヤインすることができる。従って、車両が停止した時には変速機３がいずれかの変速段にギヤインされ入力軸３１がロックした状態となり、変速機の出力軸３３に伝動連結された図示しない車輪の回転が規制され、駐車状態となる。
【００１９】
なお、図示の実施形態においては、パーキングロック規制手段としての電磁ソレノイド９（ＳＯＬ）を具備した例を示したが、この電磁ソレノイド９（ＳＯＬ）は必ずしも必要ない。即ち、チェンジレバー７７のパーキング位置（Ｐ）への作動経路の途中にパーキング作動検出手段８５（ＳＷ５）が配設されているので、このパーキング作動検出手段８５（ＳＷ５）からの検出信号に基づいて制御装置１０は上記変速制御を実行するため、チェンジレバー７７が相当速い速度でパーキング位置（Ｐ）に操作されない限り、パーキングロック機構７によって入力軸３１がロックされる前に変速機３を車両の走行速度に見合った変速段に確実にギヤインすることができる。
【００２０】
次に、チェンジレバー７７の作動パターンが図３に示す場合、即ちニュートラル位置（Ｎ）とパーキング位置（Ｐ）との間にリバース位置（Ｒ）が存在する場合について説明する。
図３に示す作動パターンの場合、車両の走行中（前進）にチェンジレバー７７がニュートラル位置（Ｎ）からパーキング位置（Ｐ）へ作動されたときには、制御手段はリバース位置検出手段８３（ＳＷ３）からの検出信号をパーキング作動検出信号として用いる。即ち、車両の走行中（前進）にチェンジレバー７７がパーキング位置（Ｐ）へ作動されることはないので、リバース位置検出手段８３（ＳＷ３）からの検出信号が入力された場合、制御手段１０は通常これを無視する。しかるに図示の実施形態においては、車両の走行中（前進）にチェンジレバー７７がリバース位置（Ｒ）を通過する場合には、制御手段１０はチェンジレバー７７がパーキング位置（Ｐ）へ作動されるものと判断し、上記図２に示すフローチャートのステップＳ２乃至ステップＳ６を実行する。
【００２１】
【発明の効果】
本発明によるパーキング装置は以上のように構成されており、パーキング作動検出手段がチェンジレバーの作動を検出したときには、制御手段は変速機を車速センサーからの検出信号に基づいて車両の走行速度に見合った変速段にギヤインすべく変速アクチュエータに制御信号を出力するので、走行中にチェンジレバーがパーキング位置（Ｐ）に操作された場合には、変速機の入力軸をロックする前に変速機を車両の走行速度に見合った変速段に確実にギヤインすることができる。従って、車両が停止した時には変速機がいずれかの変速段にギヤインされ入力軸がロックした状態となり、変速機の出力軸に伝動連結された車輪の回転が規制され、駐車状態となる。
【図面の簡単な説明】
【図１】本発明に従って構成された車両のパーキング装置を示す概略構成図。
【図２】本発明に従って構成された車両のパーキング装置を構成する制御手段の動作手順を示すフローチャート。
【図３】本発明に従って構成された車両のパーキング装置を構成するチェンジレバーの作動パターを示す説明図。
【符号の説明】
２；駆動軸
３；変速機
３１；変速機の入力軸
３３；変速機の出力軸
４；油圧式多板クラッチ
４１；油圧式多板クラッチのクラッチアウター
４２；油圧式多板クラッチのクラッチインナー
４６；電磁切替え弁（Ｖ１）
５；変速アクチュエータ（ＡＣＴ）
５１；セレクトアクチュエータ
５２；シフトアクチュエータ
６；パーキングギヤ
７；パーキングロック機構
７１；係止部材
７２；ハウジング
７３；スプリング
７４；作動部材
７５；作動ロッド
７６；コイルスプリング
７７；チェンジレバー
７８；プッシュプルケーブル
８１；ニュートラル位置検出手段（ＳＷ１）
８２；ドライブ位置検出手段（ＳＷ２）
８３；リバース位置検出手段（ＳＷ３）
８４；パーキング位置検出手段（ＳＷ４）
８５；パーキング作動検出手段（ＳＷ５）
９；電磁ソレノイド（ＳＯＬ）
１０；制御手段
１１；車速センサー
１２；アクセルセンサー
【図１】
2004353740.tif 000003
【図２】
2004353740.tif 000004
【図３】
2004353740.tif 000005